(57)【要約】【課題】釣り竿の荷重が腕などにかからないように支持することができ、なおかつ釣竿を前方へ振り出すなど広い可動範囲での操作を行うときにも釣竿の動きに制限を受けることなく操作が自由にできるようにした釣竿操作補助具を提供する。【解決手段】釣竿操作補助具(A)は、釣竿に装着される釣竿用吊コード巻取装置(1)と、使用者に装着されるジャケット(2)及び竿尻受帯(3)を有している。釣竿用吊コード巻取装置(1)は、ストッパー(14)の操作によって吊コード(15)のフリー状態と固定状態を切り替えることができる。吊コード(15)先端には掛具(16)が設けてあり、掛具(16)はジャケット(2)の掛紐(25)に移動可能に掛けられる。竿尻受帯(3)は、帯基体(30)に設けられた装着用帯状体(31,32,33)と、接続帯状体(34)を介し取り付けられた竿尻受具(35)を有している。【選択図】図５
2008011776.tif 000002
【特許請求の範囲】
【請求項１】
使用者の腕にかかる負担を軽減する釣竿用吊コード巻取装置(1)であって、
繰り出しと巻き取りが可能な吊コード(15)と、
該吊コード(15)の繰り出しと巻き取りが自由にできるようにした状態と、吊コード(15)の任意の繰り出し位置において繰り出しと巻き取りを止めた状態とを切り替える手段(14)と、
上記吊コード(15)に設けられている掛具(16)とを備えている、
釣竿用吊コード巻取装置。
【請求項２】
釣竿に装着される請求項１記載の釣竿用吊コード巻取装置(1)と、
使用者に装着される装着具(2)と、
を備えており、
上記装着具(2)は、上記釣竿用吊コード巻取装置(1)の吊コード(15)の掛具(16)を取り付けて支える手段または掛具(16)を掛けて引っ張られる方向へ移動できるようにして支える手段(25)を含んでいる、
釣竿操作補助具。
【請求項３】
装着具がジャケット(2)またはベストであり、掛具(16)を掛けて引っ張られる方向へ移動できるようにして支える手段が、上記ジャケット(2)またはベストの両肩部の間に着脱可能に掛け渡される案内コード(25)である、
請求項２記載の釣竿操作補助具。
【請求項４】
釣竿(4)の竿尻を保持し支えるための手段(3)を備えている、
請求項２または３記載の釣竿操作補助具。
【請求項５】
釣竿(4)の竿尻を保持し支える手段(3)が、使用者に装着するための装着用帯状体(31,32,33)と、該装着用帯状体(31,32,33)に接続帯状体(34)を介し取り付けられ釣竿(4)の竿尻に装着できる竿尻受具(35)で構成されている、
請求項４記載の釣竿操作補助具。
【発明の詳細な説明】
【技術分野】
【０００１】
本発明は、釣竿用吊コード巻取装置及びそれを使用した釣竿操作補助具に関するものである。更に詳しくは、釣竿を操作したり保持する際に使用者の腕など身体にかかる負担を軽減するものであって、必要なときには釣り竿の荷重が腕などにかからないように支持することができ、なおかつ釣竿を前方へ振り出すなど広い可動範囲での操作を行うときにも操作が支障なく自由にできるようにしたものに関する。
【背景技術】
【０００２】
釣りは、若年者から高齢者まで、海や川などの自然と親しんで楽しむことができる娯楽として認知されている。しかしながら、釣りは、例えば長い釣竿を大きく操作するときや大物を釣り上げるときに、使用者の腕など身体に大きな負担がかかり相当の体力が必要であるという、スポーツとしての一面も持ち合わせている。このような、使用者の身体にかかる負担を軽減するために、釣竿を吊り支えるための器具が従来より提案されている（特許文献１参照）。
【０００３】
特許文献１記載の釣り竿保持具は、釣り人の上半身に装着される張り紐支持材と、張り紐支持材から前方に延出する左右一対の張り紐と、各張り紐の延出端部に連結自在なストラップを備えており、ストラップ先端にはリールに係合して釣り紐を支える係合部が設けられているものである。この釣り竿保持具は、魚がかかった場合の魚の釣り上げ操作を補助すると共に、一時的に釣り竿から両手を離すような動作も可能である。
【０００４】
【特許文献１】特開２００２−３０６０４０
【発明の開示】
【発明が解決しようとする課題】
【０００５】
しかしながら、特許文献１記載の釣り竿保持具には、上記のような利点はあるが、次のような課題があることもわかってきた。
つまり、釣り竿保持具は張り紐の長さの調整はできるものの、釣竿を操作するときの釣竿の動きを制限しないように伸縮できる構造とはなっていない。このため、上記釣り竿保持具は、例えば鮎釣りのように、釣竿を前方へ大きく振り出す（送り出す）操作など釣竿の可動範囲が広い釣りにおいては、張り紐の長さが一定長に固定されたままでは、釣竿の動きに制限を受けてしまい実質的に使用が不可能である。
【０００６】
そこで本発明は、釣竿を操作したり保持する際に使用者の腕など身体にかかる負担を軽減する補助具であって、必要なときには釣り竿の荷重が腕などにかからないように支持することができ、なおかつ釣竿を前方へ振り出すなど広い可動範囲での操作を行うときにも釣竿の動きに制限を受けることなく、操作が支障なく自由にできるようにした釣竿用吊コード巻取装置及びそれを使用した釣竿操作補助具を提供することを目的とする。
【課題を解決するための手段】
【０００７】
上記課題を解決するために本発明が講じた手段は次のとおりである。
本発明は、使用者の腕にかかる負担を軽減する釣竿用吊コード巻取装置であって、
繰り出しと巻き取りが可能な吊コードと、
該吊コードの繰り出しと巻き取りが自由にできるようにした状態と、吊コードの任意の繰り出し位置において繰り出しと巻き取りを止めた状態とを切り替える手段と、
上記吊コードに設けられている掛具とを備えている、
釣竿用吊コード巻取装置である。
【０００８】
本発明は、釣竿に装着される本発明に係る釣竿用吊コード巻取装置と、
使用者に装着される装着具と、
を備えており、
上記装着具は、上記釣竿用吊コード巻取装置の吊コードの掛具を取り付けて支える手段または掛具を掛けて引っ張られる方向へ移動できるようにして支える手段を含んでいる、
釣竿操作補助具である。
【０００９】
また、本発明に係る釣竿操作補助具は、装着具がジャケットまたはベストであり、掛具を掛けて引っ張られる方向へ移動できるようにして支える手段が、上記ジャケットまたはベストの両肩部の間に着脱可能に掛け渡される案内コードであるのがより好ましい。
【００１０】
さらに、本発明に係る釣竿操作補助具は、釣竿の竿尻を保持し支えるための手段を備えているのがより好ましく、この釣竿の竿尻を保持し支える手段は、使用者に装着するための装着用帯状体と、該装着用帯状体に接続帯状体を介し取り付けられ釣竿の竿尻に装着できる竿尻受具で構成することもできる。
【００１１】
本明細書及び特許請求の範囲で使用する「コード(cord)」の用語は、例えば索、縄、綱、帯、紐、糸、鎖、ワイヤ、テグス（釣糸）などを含む意味で使用している。また、それらの材質も特に限定するものではなく、例えば金属、合成樹脂、布などである。さらに、コードは、釣竿の荷重を受けて、切れたり伸びきったりすることなく確実に吊り支える（吊り下げる）ことができる強度を有しているのはいうまでもない。
【００１２】
（作用）
本発明に係る釣竿操作補助具の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１３】
まず、釣竿操作補助具(A)を構成する釣竿用吊コード巻取装置(1)を釣竿(4)の所定の位置に装着する。次に、使用者(M)は同じく釣竿操作補助具(A)を構成する装着具(2)（ジャケットまたはベストなど）を身体に装着する。
釣竿(4)を手に持ち、吊コード(15)を引き出して釣竿用吊コード巻取装置(1)から吊コード(15)を繰り出し、装着具(2)の吊コード(15)の掛具(16)を取り付けて支える手段または掛具を引っ張られる方向へ移動できるようにして支える手段(25)（案内コードなど）に吊コード(15)の掛具(16)を掛ける。
【００１４】
釣竿(4)の操作を止めたり休むときには、釣竿用吊コード巻取装置(1)の吊コード(15)を所要の長さ繰り出した状態で吊コード(15)の繰り出しと巻き取りを止めた状態に設定しておく。これによって、釣竿(4)は、長さが固定されている吊コード(15)によって所要の高さで吊り支えられる。そして、吊コード(15)の繰り出し部を支点として釣竿(4)のバランスを取るように、例えば竿尻部を上から手で押さえるようにすれば、釣竿(4)のほとんどの荷重が吊コード(15)を介して装着具(2)にかかる。つまり、釣竿(4)を腕で支える必要はなく、釣竿(4)の荷重は装着具(2)で分散させることができるので、使用者の身体にかかる負担を軽減できる。
【００１５】
また、釣竿(4)を広い可動範囲で操作するときは、釣竿用吊コード巻取装置(1)を吊コード(15)の繰り出しと巻き取りが自由にできるようにした状態に設定しておく。これによって、吊コード(15)が釣竿(4)と装着具(2)の間に介在していても、吊コード(15)が釣竿(4)の動きを制限することはなく、釣竿(4)を前方へ大きく振り出す操作などが可能であり、釣竿操作補助具(A)を使用しない場合と同様に釣竿(4)を自由に操作することができる。また、装着具(2)が、掛具(16)を掛けて引っ張られる方向へ移動できるようにして支える手段(25)を有している場合は、吊コード(15)の引っ張り力が装着具(2)の所要箇所に偏って作用することがないので、取り扱いがしやすい。
【００１６】
釣竿操作補助具(A)が、釣竿(4)の竿尻を保持し支えるための手段(3)を備えているものは、竿尻を竿尻受具(35)などで支えることによって、上記の場合で竿尻部を上から手で押さえる必要もなく、釣竿(4)を吊り支えた状態で両手を釣竿(4)から離して自由に使うことが可能になる。
さらに、上記手段が、使用者に装着するための装着用帯状体(31,32,33)と、該装着用帯状体(31,32,33)に接続帯状体(34)を介し取り付けられ釣竿(4)の竿尻に装着できる竿尻受具(35)で構成されているものは、装着用帯状体(31,32,33)によってベルト(B)などに固定できる。そして、竿尻に竿尻受具(35)を装着したときに接続帯状体(34)が適度に緊張するように接続帯状体(34)の長さを調節すれば、吊コード(15)と接続帯状体(34)で釣竿(4)を吊り支えることができる。
【発明の効果】
【００１７】
（ａ）本発明に係る釣竿用吊コード巻取装置及び釣竿操作補助具によれば、釣竿の操作を止めたり休むときには、釣竿用吊コード巻取装置の吊コードを所要の長さ繰り出した状態で吊コードの繰り出しと巻き取りを止めた状態に設定すれば、釣竿は、長さが固定されている吊コードによって所要の高さで吊り支えることができる。これにより、必要なときには釣り竿の荷重が腕などにかからないように支持することができ、使用者の身体にかかる負担を軽減することができる。
また、釣竿を広い可動範囲で操作するときは、釣竿用吊コード巻取装置を吊コードの繰り出しと巻き取りが自由にできるようにした状態に設定すれば、釣竿を前方へ大きく振り出す操作など自由に操作することができる。
【００１８】
（ｂ）釣竿操作補助具が、釣竿の竿尻を保持し支えるための手段を備えているものは、竿尻を竿尻受具などで支えることによって、上記の場合で竿尻部を上から手で押さえる必要もなく、釣竿を吊り支えた状態で両手を釣竿から離して自由に使うことが可能になる。
さらに、上記手段が、使用者に装着するための装着用帯状体と、該装着用帯状体に接続帯状体を介し取り付けられ釣竿の竿尻に装着できる竿尻受具で構成されているものは、装着用帯状体によってベルトなどに固定される。竿尻に竿尻受具を装着したときに接続帯状体が適度に緊張するように接続帯状体の長さを調節すれば、吊コードと接続帯状体で釣竿を吊り支えることができる。
【発明を実施するための最良の形態】
【００１９】
本発明を図に示した実施例に基づき詳細に説明する。
【実施例】
【００２０】
図１は本発明に係る釣竿用吊コード巻取装置の斜視説明図、
図２は本発明に係る釣竿操作補助具を構成するジャケットの説明図、
図３は本発明に係る釣竿操作補助具を構成する竿尻受帯の説明図である。
【００２１】
釣竿操作補助具Ａは、釣竿４に装着される釣竿用吊コード巻取装置１及び使用者である釣り人が身に付ける装着具であるジャケット２と、釣竿の竿尻を保持し支える手段である竿尻受帯３で構成されている。なお、竿尻受帯３は、場合によっては装着しないこともある。釣竿操作補助具Ａは、例えば主に渓流での鮎釣りなどに使用されるものであるが、これに限定するものではない。
【００２２】
釣竿用吊コード巻取装置１は中空で透明なプラスチック製のケース１０を有している。ケース１０は不透明であってもよいし、金属など他の材料で形成してもよい。ケース１０の前部には、後述する吊コード１５を通す通し孔１１が設けられている。また、ケース１０の下部には、後述する釣竿４に取り付けられる固定具４０に固定する部分となる固定台１２が設けられている。固定台１２の両端部は、ケース１０より前後にやや突出して設けられている。
【００２３】
ケース１０には、吊コード１５を巻き取る巻取回転体１３が内蔵されている。巻取回転体１３には、吊コード１５の一端がつながれている。巻取回転体１３は、ケース１０に軸を中心として回転可能に設けられ、ゼンマイ（図示省略）で巻き取り回転方向へ付勢する構造となっている。巻取回転体１３の一方側の側部には、爪車１７が設けられている。
【００２４】
符号１４はストッパーであり、ケース１０内部に位置する部分には係止爪１４０が設けられている。ストッパー１４は、ケース１０に設けられているガイド孔１００に沿って移動可能である。ストッパー１４を操作し、係止爪１４０を上記巻取回転体１３の爪車１７と係止させることによって、巻取回転体１３を吊コード１５が繰り出されたときに回転する方向（矢印ａ方向）へは回転できないよう固定することができる。また、ストッパー１４を矢印ｂ方向へ操作して係止爪１４０と爪車１７の係止を解除すれば、巻取回転体１３は正逆方向に回転できる。
【００２５】
このようにストッパー１４を操作することにより、釣竿用吊コード巻取装置１は、吊コード１５の繰り出しと巻き取りを止めた状態（固定モード）と、巻取回転体１３を回転可能にして吊コード１５の繰り出しと巻き取りが自由にできるようにした状態（フリーモード）の切り替えができる。
【００２６】
なお、吊コード１５には可撓性を有する金属製のワイヤが使用されており、その先端には掛具１６がリングを介し取り付けられている。掛具１６は、図１に示すようにツマミの操作で輪部を開閉できる構造を有している。掛具１６は、使用時には後述するジャケット２の掛紐２５に着脱可能に掛けられ、掛紐２５の長手方向に沿って滑りながら移動が可能である。なお、本実施の形態では、掛具１６は掛紐２５に沿って移動できるようにしたが、掛具１６をジャケット２の一部に固定することもできる。
【００２７】
ジャケット２は、前開きで袖のないベスト(vest)タイプである。なお、装着具は、このようなベストタイプのジャケットに限定されるものではなく、袖のあるもの、スエットスーツ状のもの、あるいは単に帯状でタスキ掛けのようにして肩部に装着するものなどを採用することもできる。ジャケット２の両肩部には、支持用補強部２１、２２が設けられている。支持用補強部２１、２２の前端部には、輪状の掛受具２３、２４が設けられている。
【００２８】
掛受具２３、２４には、掛紐２５が掛け渡してある。掛紐２５は、吊コードの掛具を引っ張られる方向へ移動できるようにして支える手段である案内コードを構成するもので、その両端に設けてある掛具２６、２７を掛受具２３、２４に掛けて取り付けられている。なお、掛具２６、２７は上記掛具１６と同様の構造であり、掛受具２３、２４に対し着脱が可能である。
【００２９】
竿尻受帯３は、やや厚手にクッション性を持たせて形成された帯基体３０を有し、その後部側の端部には一本の装着用帯３１が接続されている。帯基体３０の前部側の端部には二本の装着用帯３２、３３が接続されている。各装着用帯３１、３２、３３は、装着の際に外面となる側に対となる面ファスナ（符号省略）が設けられており、図３に示すように面ファスナが設けられている面側へ折り曲げて接着することができる。
【００３０】
また、帯基体３０の前部側の端部には、装着用帯３２、３３と共に接続調節帯３４が接続されている。接続調節帯３４の先端には、プラスチック製で有底円筒形状の竿尻受具３５の底側が取り付けられている。なお、竿尻受具３５は金属など他の材料で形成してもよい。竿尻受具３５の内径は、釣竿４の竿尻をがたつくことなく差し込むことができる大きさに設定されている。符号３６は金属板でフック状に形成された引掛具であり、ベルトなどに掛けることができる。また、接続調節帯３４は、通し具（符号省略）を使用して長さの調節ができるようになっている。
【００３１】
（作用）
図４は釣竿用吊コード巻取装置を釣竿に装着した状態を示す説明図、
図５は釣竿操作補助具の使用形態を示し、吊コードの繰り出しと巻き取りを止めて吊コードと竿尻受具で釣竿を支えている状態の説明図、
図６は釣竿操作補助具の使用形態を示し、吊コードの繰り出しと巻き取りを自由にして釣竿を前方へ振り出している状態の説明図である。
【００３２】
まず、釣竿操作補助具Ａを構成する釣竿用吊コード巻取装置１を釣竿４の基部側（竿尻側）の所定の位置に装着する。釣竿４には、固定具４０が固定用ベルト４１、４２で所要位置に固定されている。固定具４０は、基台４００を有している。基台４００には、竿先方向側に位置する固定受部４０１と、竿尻方向側に位置する可動受部４０２を有している。
【００３３】
可動受部４０２は基台４００に沿ってスライド可能であり、ロック具４０３によって所要のスライド位置で固定できる。この構造により、固定台１２を固定受部４０１と可動受部４０２で挟持して釣竿用吊コード巻取装置１を固定することができる。また、固定具４０は固定用ベルト４１、４２によって着脱が可能であり、固定位置は適宜調節できる。
【００３４】
釣竿４のうち固定具４０よりやや先部側には、金属板でΩ形状に形成された取付具４３を介し、同じくＵ字形状に形成された軸受具４４が取り付けられている。軸受具４４の先部には、滑車４５が取り付けられている。
上記釣竿用吊コード巻取装置１の吊コード１５は、図１に示すように滑車４５の下を潜らせて滑車４５に回し掛けるようにして上方へ延出される。なお、滑車４５を使用せず、吊コード１５を通し孔１１から直接掛紐２５へ向け延出してもよい。
【００３５】
次に、使用者Ｍは釣竿操作補助具Ａを構成するジャケット２を身体に装着する。そして、上記釣竿用吊コード巻取装置１を装着した釣竿４を手に持ち、釣竿用吊コード巻取装置１から吊コード１５を繰り出し、吊コード１５先端の掛具１６をジャケット２の掛紐２５に掛ける。掛具１６は、掛紐２５に沿って滑りながら移動可能である。
【００３６】
さらに、使用者Ｍは竿尻受帯３を腰部に装着する。竿尻受帯３の装着は、まず帯基体３０を股間に沿わせ、各装着用帯３１、３２、３３をベルトＢの内側から外側へ回し掛けるように折り曲げて接着する。また、竿尻受具３５は、引掛具３６をベルトに掛けて装着するか（図６参照）、接続調節帯３４を股間に通して前に出し釣竿４の竿尻に装着する（図５参照）。
【００３７】
図５を参照する。図５は、吊コード１５の繰り出しと巻き取りを止めて釣竿４を吊り支えている状態を示している。
釣竿４の操作を止めたり休むときには、吊コード１５を図５に示すような長さに繰り出した状態で、釣竿用吊コード巻取装置１のストッパー１４を操作し吊コード１５の繰り出しと巻き取りを止めた状態に切り替えておく。また、接続調節帯３４を股間に通して前に出し、竿尻受具３５を釣竿４の竿尻に装着する。
【００３８】
これにより、釣竿４は、繰り出し長さが固定されている吊コード１５によって、図５に示すような高さで吊り支えられ、さらに、竿尻は、引っ張られて緊張している接続調節帯３４によって上に上がらないように止められる。また、掛紐２５に掛けられた掛具１６は掛紐２５に沿って移動が可能であるので、掛具１６と掛紐２５の掛かり部分が、掛具１６が引っ張られる方向へ無理なく移動する。したがって、吊コード１５の引っ張り力がジャケット２の両肩部に著しく偏って作用することがないので、取り扱いがしやすい。
【００３９】
そして、吊コード１５が回し掛けてある滑車４５を支点として釣竿４のバランスを取るように、竿尻を上から手で軽く押さえるようにすれば、釣竿４のほとんどの荷重が吊コード１５と掛紐２５を介してジャケット２の支持用補強部２１、２２にかかる。つまり、釣竿４の荷重をジャケット２で分散させることができるので、使用者Ｍの身体にかかる負担を軽減できる。さらには、釣竿４から両手を離しても釣竿４の吊り支持（保持）が可能であるので、両手を自由に使うことができる。
【００４０】
図６を参照する。図６は、吊コード１５の繰り出しと巻き取りを自由にして釣竿４を前方へ振り出している状態を示している。なお、竿尻受具３５は、引掛具３６をベルトＢに掛けて装着している。
鮎釣りにおいては、一般にオトリ鮎やルアーが使用されるため、釣竿４を広い可動範囲で操作することが多い。釣竿４を大きく操作するときには、釣竿用吊コード巻取装置１のストッパー１４を操作して吊コード１５の繰り出しと巻き取りが自由にできるようにした状態にしておく。これによって、吊コード１５が釣竿４とジャケット２の間に介在していても、吊コード１５が釣竿４の動きを制限することはない。
【００４１】
したがって、図６に示すような釣竿４を前方へ大きく振り出す操作あるいは送り出す操作などが可能であり、釣竿４を引き戻したときにも吊コード１５はケース１０内に巻き取られるので、弛んで邪魔になることはない。さらには、上記したように吊コード１５の引っ張り力がジャケット２の両肩部に著しく偏って作用することがない。このように、釣竿操作補助具Ａを使用しない場合と同様に釣竿４を自由に操作することができる。
なお、釣竿４を操作しないときには、竿尻をベルトＢに固定した竿尻受具３５に差し込んで立てておけば、使用者Ｍの身体に対する負担は小さく、両手も自由に使うことが可能である。
【００４２】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４３】
【図１】本発明に係る釣竿用吊コード巻取装置の斜視説明図。
【図２】本発明に係る釣竿操作補助具を構成するジャケットの説明図。
【図３】本発明に係る釣竿操作補助具を構成する竿尻受帯の説明図。
【図４】釣竿用吊コード巻取装置を釣竿に装着した状態を示す説明図。
【図５】釣竿操作補助具の使用形態を示し、吊コードの繰り出しと巻き取りを止めて吊コードと竿尻受具で釣竿を支えている状態の説明図。
【図６】釣竿操作補助具の使用形態を示し、吊コードの繰り出しと巻き取りを自由にして釣竿を前方へ振り出している状態の説明図。
【符号の説明】
【００４４】
Ａ  釣竿操作補助具
１  釣竿用吊コード巻取装置
１０  ケース
１００  ガイド孔
１１  通し孔
１２  固定台
１３  巻取回転体
１４  ストッパー
１４０  係止爪
１５  吊コード
１６  掛具
１７  爪車
２  ジャケット
２０  本体
２１、２２  支持用補強部
２３、２４  掛受具
２５  掛紐
２６、２７  掛具
３  竿尻受帯
３０  帯基体
３１、３２、３３  装着用帯
３４  伸縮調節帯
３５  竿尻受具
３６  引掛具
４  釣竿
４０  固定具
４００  基台
４０１  固定受部
４０２  可動受部
４０３  ロック具
４１、４２  固定用ベルト
４３  取付具
４４  軸受具
４５  滑車
【図１】
2008011776.tif 000003
【図２】
2008011776.tif 000004
【図３】
2008011776.tif 000005
【図４】
2008011776.tif 000006
【図５】
2008011776.tif 000007
【図６】
2008011776.tif 000008